(57)【要約】【課題】基台内部に第１および第２水槽間を連通接続する連通管路を簡単に形成できる水槽設備を提供する。【解決手段】本発明の水槽設備は、基台１と、基台１上に設けられた第１および第２水槽２，３と、基台１の内部に設けられ、かつ第１および第２水槽２，３間を連通接続するための往き管路４等の連通管路とを備える。基台１の上板１１に、第１水槽２の底面に対応して往き管路４の一端開口４ｂが設けられ、基台１の上板１１に、第２水槽３の底面に対応して往き管路４の他端開口４ａが設けられる。上方が開口され、かつ長さ方向の両端が閉塞された溝型形状の往き管路部材４０等の連通管路部材が、その上方開口の両端部が、往き管路４の一端開口４ｂおよび他端開口４ａに適合させつつ、連通管路部材の上方開口周縁部が基台１の上板の裏面にシーリング材７を介して水密状態に取り付けられることにより、往き管路４が形成されている。【選択図】図６
2018110533.tif 000002
【特許請求の範囲】
【請求項１】
基台と、
前記基台上に設けられた第１および第２水槽と、
前記基台の内部に設けられ、かつ前記第１および第２水槽間を連通接続するための連通管路とを備え、
前記基台の上板に、前記第１水槽の底面に対応して前記連通管路の一端開口が設けられ、
前記基台の上板に、前記第２水槽の底面に対応して前記連通管路の他端開口が設けられ、
上方が開口され、かつ長さ方向の両端が閉塞された溝型形状の連通管路部材が、その上方開口の両端部が、前記連通管路の一端開口および他端開口に適合させつつ、前記連通管路部材の上方開口周縁部が前記基台の上板の裏面にシーリング材を介して水密状態に取り付けられることにより、前記連通管路が形成されていることを特徴とする水槽設備。
【請求項２】
前記シーリング材がシリコン系シーリング材によって構成されている請求項１に記載の水槽設備。
【請求項３】
前記連通管路部材の外周縁部に周方向に間隔をおいて複数のねじ留め片が外方に突出するように形成され、
前記ねじ留め片が前記基台の上板の裏面にねじ留め固定されることにより、前記連通管路部材が前記基台に固定されている請求項１または２に記載の水槽設備。
【請求項４】
前記連通管路は、往き管路と、戻り管路とを備え、
前記第１水槽の底面に、前記往き管路および前記戻り管路の各一端開口が設けられ、
前記第２水槽の底面に、前記往き管路および前記戻り管路の各他端開口が設けられ、
前記連通管路部材は、前記往き管路を形成するための往き管路部材と、前記戻り管路を形成するための戻り管路部材とを備え、
循環ポンプによって、前記第２水槽内の水を前記往き管路を介して前記第１水槽内に供給するとともに、前記第１水槽内の水を前記戻り管を介して前記第２水槽内に戻すように構成されている請求項１〜３のいずれか１項に記載の水槽設備。
【請求項５】
前記第１水槽は、水棲生物を観賞するためのメイン水槽によって構成されるとともに、
前記第２水槽は、水質を維持するための器具類が配置されたサブ水槽によって構成されている請求項４に記載に水槽設備。
【発明の詳細な説明】
【技術分野】
【０００１】
この発明は例えば、一般家庭等において観賞魚や水草等の水棲生物を飼育栽培しつつ観賞する際に用いられる水槽設備に関する。
【背景技術】
【０００２】
各家庭等で多く用いられる一般の観賞魚用の水槽は、水槽内に観賞魚等の水棲生物以外に、水質や水温等を調整して水質を所定の品質以上に維持すための濾過装置や冷却／加熱器等の器具類が配置されている。このような器具類は、良好な飼育環境を維持するために必要不可欠な器具であるものの、観賞する者にとっては目障りとなる場合もあり美観を損なうおそれがある。
【０００３】
そこで下記特許文献１，２に示すように観賞用水槽内に水質維持用（飼育環境維持用）の器具類が配置されない水槽設備が開発されている。この水槽設備は、観賞魚が飼育される観賞用水槽としてのメイン水槽と、水質維持用の器具類が配置される器具用水槽としてのサブ水槽と、両水槽間を連結する往き管および戻り管と、循環ポンプとを備え、循環ポンプの駆動によって、サブ水槽内の水を往き管を介してメイン水槽に供給しつつ、メイン水槽内の水を戻り管を介してサブ水槽内に戻すようにしている。このように両水槽間に水を循環させることによって、メイン水槽に器具類を配置せずにメイン水槽内の水質を良好に維持するようにしている。
【先行技術文献】
【特許文献】
【０００４】
【特許文献１】特許第４７４６１４０号
【特許文献２】特許第４７９１６０６号
【発明の概要】
【発明が解決しようとする課題】
【０００５】
ところで上記特許文献１，２に示すような２つの水槽を有する従来の水槽設備として、基台を備え、その基台上に観賞用水槽および器具用水槽が配置されるとともに、基台内部に往き管および戻り管が埋設された水槽設備が提案されている。この水槽設備においては、メイン水槽の底面に往き管の吐出口および戻り管の吸水口が設けられ、吐出口からサブ水槽の水が吐出されてメイン水槽に供給されることになる。
【０００６】
しかしながら、このような水槽設備においては、２つの水槽間を連通接続するための往き管や戻り管等の連通管路を、基台内部の限られたスペースに形成する必要があり、構造が複雑となる場合があり、往き管や戻り管等の連通管路を簡単に形成することが困難となり、ひいては水槽設備全体の製作も困難になるという課題があった。
【０００７】
この発明は、上記の課題に鑑みてなされたものであり、メイン水槽等の第１水槽とサブ水槽等の第２水槽との間を連通接続する往き管路および戻り管路等の連通管路を簡単に形成できて、水槽設備全体を簡単に製作することができる水槽設備を提供することを目的とする。
【課題を解決するための手段】
【０００８】
上記課題を解決するため、本発明は、以下の手段を備えるものである。
【０００９】
［１］基台と、
前記基台上に設けられた第１および第２水槽と、
前記基台の内部に設けられ、かつ前記第１および第２水槽間を連通接続するための連通管路とを備え、
前記基台の上板に、前記第１水槽の底面に対応して前記連通管路の一端開口が設けられ、
前記基台の上板に、前記第２水槽の底面に対応して前記連通管路の他端開口が設けられ、
上方が開口され、かつ長さ方向の両端が閉塞された溝型形状の連通管路部材が、その上方開口の両端部が、前記連通管路の一端開口および他端開口に適合させつつ、前記連通管路部材の上方開口周縁部が前記基台の上板の裏面にシーリング材を介して水密状態に取り付けられることにより、前記連通管路が形成されていることを特徴とする水槽設備。
【００１０】
［２］前記シーリング材がシリコン系シーリング材によって構成されている前項１に記載の水槽設備。
【００１１】
［３］前記連通管路部材の外周縁部に周方向に間隔をおいて複数のねじ留め片が外方に突出するように形成され、
前記ねじ留め片が前記基台の上板の裏面にねじ留め固定されることにより、前記連通管路部材が前記基台に固定されている前項１または２に記載の水槽設備。
【００１２】
［４］前記連通管路は、往き管路と、戻り管路とを備え、
前記第１水槽の底面に、前記往き管路および前記戻り管路の各一端開口が設けられ、
前記第２水槽の底面に、前記往き管路および前記戻り管路の各他端開口が設けられ、
前記連通管路部材は、前記往き管路を形成するための往き管路部材と、前記戻り管路を形成するための戻り管路部材とを備え、
循環ポンプによって、前記第２水槽内の水を前記往き管路を介して前記第１水槽内に供給するとともに、前記第１水槽内の水を前記戻り管を介して前記第２水槽内に戻すように構成されている前項１〜３のいずれか１項に記載の水槽設備。
【００１３】
［５］前記第１水槽は、水棲生物を観賞するためのメイン水槽によって構成されるとともに、
前記第２水槽は、水質を維持するための器具類が配置されたサブ水槽によって構成されている前項４に記載に水槽設備。
【発明の効果】
【００１４】
発明［１］の水槽設備によれば、基台の上板の裏面側に、第１水槽側の一端開口および第２水槽側の他端開口間を架け渡すように溝型形状の連通管路部材を介して取り付けて連通管路を形成するようにしているため、溝型形状の連通管路部材を基台の裏面に取り付けるだけで簡単に連通管路を形成することができ、ひいては水槽設備全体を効率良く簡単に製作することができる。
【００１５】
発明［２］の水槽設備によれば、溝型形状の連通管路部材の上方開口周縁部と基台の上板裏面との間をシリコン系シーリング材によって密着固定しているため、作業効率良く水密性に優れた連通管路を製作することができる。
【００１６】
発明［３］の水槽設備によれば、連通管路部材の外周縁部に形成したねじ留め片を基台にねじ留め固定しているため、シーリング材が硬化する前の状態であっても、連通管路部材を基台に安定した状態に固定することができる。そのためシーリング材が硬化するまで放置する必要がなく、硬化前の状態でそのまま次の製作工程を実施することができ、水槽設備組立作業を効率良く行うことができる。
【００１７】
発明［４］［５］の水槽設備によれば、良好な美観を確保しつつ、快適な飼育環境下で観賞魚等の水棲生物を観賞飼育することができる。
【図面の簡単な説明】
【００１８】
【図１】図１はこの発明の実施形態である水槽設備を示す斜視図である。
【図２】図２は実施形態の水槽設備を分解して示す斜視図である。
【図３】図３は実施形態の水槽設備に適用された基台を示す平面図である。
【図４】図４は実施形態の水槽設備をその水槽周壁体を取り外した状態で示す斜視図である。
【図５】図５は実施形態の基台を示す下面図である。
【図６】図６は実施形態の基台を下面側から見た分解図である。
【図７】図７は実施形態の基台における管路周辺を示す断面図である。
【図８】図８は実施形態の水槽設備に適用された管路部材を示す斜視図である。
【発明を実施するための形態】
【００１９】
図１はこの発明の実施形態である水槽設備を示す斜視図、図２は実施形態の水槽設備を分解して示す斜視図、図３は実施形態の水槽設備の基台を示す平面図、図４は実施形態の水槽設備をその水槽周壁体を取り外した状態で示す斜視図である。
【００２０】
これらの図に示すように本実施形態の水槽設備は、基台１と、観賞用水槽としてのメイン水槽２と、器具用水槽としてのサブ水槽３と、両水槽２，３間を連通接続する往き管路（供給管路）４および戻り管路（排出管路）５と、吐出ポンプ１５とを基本的な構成要素として備えている。
【００２１】
基台１は硬質合成樹脂の成形品によって構成されている。基台１の上壁によって構成される上板１１には、メイン水槽２およびサブ水槽３に対応する各領域がそれぞれ凹陥形成されることにより、基台１の上面にメイン水槽側凹陥部２１およびサブ水槽側凹陥部３１がそれぞれ形成されている。両凹陥部２１，３１は平面視においてそれぞれ矩形状に形成されている。
【００２２】
後に説明するようにメイン水槽側凹陥部２１の底面２２は、メイン水槽２の底面２２を構成するものであり、サブ水槽側凹陥部３１の底面３２は、サブ水槽３の底面３２を構成するものである。なお本実施形態においては、メイン水槽２が第１水槽として構成されるとともに、サブ水槽３が第２水槽として構成されている。
【００２３】
メイン水槽側凹陥部２１には平面視において、それぞれ長円形状の吐出口４ｂおよび吸込口５ａが形成されている。吐出口４ｂは後述の往き管路４の吐出口として機能するとともに、吸込口５ａは後述の戻り管路５の吸込口として機能する。ここで本実施形態においては、往き管路４の吐出口４ｂが往き管路４の一端開口として構成されるとともに、戻り管路５の吸込口５ａが戻り管路５の一端開口として構成されている。
【００２４】
吐出口４ｂには、その吐出口４ｂの形状に対応する形状を有し、かつ吐出口４ｂを水密状態に閉塞するための吐出口閉塞蓋４１が着脱自在（開閉自在）に取り付けられている。この吐出口閉塞蓋４１には、水の流通を許容する円形の流出孔４２が形成されている。
【００２５】
また吸込口５ａには、その吸込口５ａの形状に対応する形状を有し、かつ吸込口５ａを水密状態に閉塞するための吸込口閉塞蓋５１が着脱自在（開閉自在）に取り付けられている。この吸込口閉塞蓋５１には、水の流通を許容する円形の流入孔５２が形成されている。
【００２６】
基台１におけるサブ水槽側凹陥部３１には、円形の吸込口４ａおよび吐出口５ｂが形成されている。この吸込口４ａは往き管路４の吸込口として機能するとともに、吐出口５ｂは戻り管路５の吐出口として機能する。ここで本実施形態においては、往き管路４の吸込口４ａが往き管路４の他端開口として構成されるとともに、戻り管路５の吐出口５ｂが戻り管路５の他端開口として構成されている。
【００２７】
図５は水槽設備の基台１を示す下面図（裏面図）、図６は基台１を裏面側から見た分解斜視図である。両図に示すように基台１の裏面には、サブ水槽３の往き管路吸込口４ａからメイン水槽２の往き管路吐出口４ｂにかけての領域に往き管路部材４０が設けられるとともに、メイン水槽２の戻り管路吸込口５ａからサブ水槽３の戻り管路吐出口５ｂにかけての領域に戻り管路部材５０が設けられている。ここで本実施形態においては、往き管路部材４０および戻り管路部材５０が連通管路部材（管路部材）として構成されている。
【００２８】
図６〜図８に示すように管路部材４０，５０は、断面が略Ｕ字状に形成された溝型形状を有する硬質合成樹脂製の長尺部材によって構成されている。この管路部材４０，５０は、上方に開口された上方開口６１が形成されるものの、長さ方向の両端面には閉塞壁が形成されており、長さ方向の両端面は長さ方向に対しそれぞれ閉塞されている。
【００２９】
また管路部材４０，５０の上方開口６１の周縁部（周壁上端面）には、その周縁部に沿って連続するシーリング材充填溝６２がそれぞれ形成されている。さらに管路部材４０，５０の外周縁部には、その外周縁部に沿って適宜間隔をおいて複数のねじ留め片６３が外方に突出するように一体に形成されている。
【００３０】
一方、基台１の裏面側（下面側）には、管路部材４０，５０を設置する領域の外周縁部に沿って連続してリブ１２が、裏面側（下方）に突出するように一体に形成されている。このリブ１２は、管路部材４０，５０のシーリング材充填溝６２に対応して形成されており、シーリング材充填溝６２内に嵌め込むことができるようになっている。また基台１の裏面側におけるリブ１２の外側には、上記管路部材４０，５０のねじ留め片６３にそれぞれ対応してねじ留め部１３が一体に形成されている。
【００３１】
そして管路部材４０，５０のシーリング材充填溝６２にペースト状ないし糊状のシリコン系シーリング材７を塗布して充填し、そのシーリング材付きの管路部材４０，５０をシーリング材充填溝６２内にリブ１２が嵌まり込むように配置する。さらに管路部材４０，５０を基台１側に押し付けた状態でビス等のねじ７１を管路部材４０，５０のねじ留め片６３に貫通して基台１のねじ留め部１３にねじ留めすることによって、管路部材４０，５０を基台１に固定する。この固定状態においては、シーリング材７が管路部材４０，５０の上方開口周縁部と基台１の上板１１（リブ１２）との間に充填配置されることにより、その間の水密が図られた状態で、管路部材４０，５０が基台１に密着固定されている。
【００３２】
ここで本実施形態においては、往き管路部材４０と基台１の上板１１とによって往き管路４が形成されるとともに、戻り管路部材５０と基台１の上板１１とによって戻り管路５が形成されている。さらに本実施形態においては、往き管路４および戻り管路５が連通管路（管路）として構成されている。
【００３３】
また往き管路部材４０の上方開口６１における一端部が基台１のメイン水槽底面２２の吐出口４ｂに対応して配置されるとともに、他端部がサブ水槽底面３２の吸込口４ａに対応して配置されている。従って既述した通りサブ水槽底面３２の吸込口４ａが往き管路４の吸込口として機能するとともに、メイン水槽底面２２の吐出口４ｂが往き管路４の吐出口として機能する。
【００３４】
さらに戻り管路部材５０の上方開口６１における一端部が基台１のメイン水槽底面２２の吸込口５ａに対応して配置されるとともに、他端部がサブ水槽底面３２の吐出口５ｂに対応して配置されている。従って既述した通り、メイン水槽底面２２の吸込口５ａが戻り管路５の吸込口として機能するとともに、サブ水槽底面３２の吐出口５ｂが戻り管路５の吐出口として機能する。
【００３５】
図１および図２に示すように基台１におけるメイン水槽側凹陥部２１に取り付けられるメイン水槽周壁体２０は、メイン水槽２の周囲４壁を構成するものであり、上下両端が開放された筒状（角筒状）に形成されている。このメイン水槽周壁体２０は、透明なガラス板ないし合成樹脂板によって構成されており、水平面形状（水平断面形状）がメイン水槽側凹陥部２１の平面形状に対応する形状を有している。このメイン水槽周壁体２０の下端部がメイン水槽側凹陥部２１に嵌め込まれた状態で固定されている。なおメイン水槽周壁体２０の下端部とメイン水槽側凹陥部２１の周縁部との間にペースト状ないし糊状のシリコン系シーリング材（図示省略）が充填塗布されることにより、メイン水槽周壁体２０が基台１に水密状態に固定されている。ここで本実施形態においてはメイン水槽周壁体２０と、メイン水槽側凹陥部２１の底面とによって観賞用水槽としてのメイン水槽２が形成されている。
【００３６】
また基台１におけるサブ水槽側凹陥部３１に取り付けられるサブ水槽周壁体３０は、サブ水槽３の周囲４壁を構成するものであり、上下両端が開放された筒状（角筒状）に形成されている。このサブ水槽周壁体３０は、黒色等に色付けされた不透明なガラス板ないし合成樹脂板によって構成されており、水平面形状（水平断面形状）がサブ水槽側凹陥部３１の平面形状に対応する形状を有している。このサブ水槽周壁体３０の下端部がサブ水槽側凹陥部３１に嵌め込まれた状態で固定されている。なおサブ水槽周壁体３０の下端部とサブ水槽側凹陥部３１の周縁部との間にペースト状ないし糊状のシリコン系シーリング材（図示省略）が充填塗布されることにより、サブ水槽周壁体３０が基台１に水密状態に固定されている。ここで本実施形態においてはサブ水槽周壁体３０と、サブ水槽側凹陥部３１の底面とによって器具用水槽としてのサブ水槽３が形成されている。
【００３７】
図１〜図４に示すようにメイン水槽２の底面２２において、吐出口閉塞蓋４１の流出孔４２には吐出ノズル２３が着脱自在に取り付けられるとともに、吸込口閉塞蓋５１の流入孔５２にはストレーナパイプ（ストレーナ付きパイプ）２４が着脱自在に取り付けられている。これにより往き管路４内の水は吐出ノズル２３を介してメイン水槽２内に吐出されるとともに、メイン水槽２内の水はストレーナパイプ２４を介して戻り管路５内に吸い込まれるようになっている。なお吐出ノズル２３やストレーナパイプ２４等、メイン水槽２側に設けられる部品は、目立たないように透明な材料によって構成するのが好ましい。
【００３８】
またサブ水槽３の底面３２において、戻り管路吐出口５ｂにはストレーナパイプ（ストレーナ付きパイプ）３４が着脱自在に取り付けられており、戻り管路５内の水はストレーナパイプ３４を介してサブ水槽３内に吸い込まれるようになっている。
【００３９】
さらにサブ水槽３の底面３２には、循環ポンプとしての吐出ポンプ１５が設置されている。この吐出ポンプ１５の吐出口は、サブ水槽底面３２における往き管路吸込口４ａに嵌め込まれるように配置されるとともに、吐出ポンプ１５の吸込口はサブ水槽３内に開口するように配置されている。従ってサブ水槽３内の水が吐出ポンプ１５に吸い込まれて往き管路吸込口４ａを介して往き管路４内に吐出されるようになっている。
【００４０】
またサブ水槽３における吐出ポンプ１５とストレーナパイプ３４との間には両者間を仕切るようにフィルター（濾過装置）１６が配置されており、戻り管路吐出口５ｂからサブ水槽３内に吸い込まれた水は、フィルター１６を通って濾過されてから上記吐出ポンプ１５によって往き管路吸込口４ａから吐出されるようになっている。
【００４１】
以上のように構成された本実施形態の水槽設備においては、メイン水槽２およびサブ水槽３が共に大気に開放されるとともに、両水槽２，３が往き管路４および戻り管路５を介して連通接続されている。従ってメイン水槽２およびサブ水槽３に貯留された水は、水位が等しく水面高さが一致するようになっている。
【００４２】
そしてこの水槽設備において、吐出ポンプ１５を駆動すると、サブ水槽３内の水が吐出ポンプ１５によって吸い込まれて往き管路４内に吸込口４ａから吐出される。往き管路４内に吐出された水は往き管路４を通って、メイン水槽底面２２の吐出口４ｂに設けられた閉塞蓋４１の流出孔４２を通って吐出ノズル２３からメイン水槽２内に供給される。
【００４３】
こうしてサブ水槽３からメイン水槽２内に水が供給されると、供給量と同量の水がメイン水槽２から戻り管路５を介してサブ水槽３に自動的に戻される。すなわちメイン水槽２内の水は、吸込口５ａに設けられた閉塞蓋５１の流入孔５２からストレーナパイプ２４を介して戻り管路５内に吸い込まれて、その水が戻り管路５を通ってサブ水槽底面３２の吐出口５ｂからストレーナパイプ３４を介してサブ水槽３内に吸い込まれる。サブ水槽３内に吸い込まれた水は、フィルター１６を通って濾過された後、上記と同様に吐出ポンプ１５に吸い込まれて、往き管路４内に吐出される。
【００４４】
このようにメイン水槽２とサブ水槽３との間で水を循環させることによって、メイン水槽２内にフィルター等の器具類を配置することなく、メイン水槽２内の水質を良好な状態に維持することができる。よってメイン水槽２内において、良好な飼育環境下で観賞魚等の水棲生物を飼育することができる。さらにメイン水槽２内には、観賞を妨げるようなフィルターや循環ポンプ等が配置されないため、観賞者にとって良好な美観を得ることができる。
【００４５】
また本実施形態の水槽設備においては、メイン水槽底面２２の吐出口４ｂを吐出口閉塞蓋４１によって閉塞するとともに、その閉塞蓋４１に形成された流出孔４２からメイン水槽２内に水を吐出させるようにしている。このため、実質的に吐出口４ｂとして機能する流出孔４２の開口面積を小さくできるため、流出孔４２からメイン水槽２内に吐出される水の勢いを十分に強く確保することができる。従って流出孔４２から吐出された水は、メイン水槽２内を大きく循環してから戻り管路５の吸込口５ａ（流入孔５２）から吸い込まれるようになり、ショートカットが発生するのを有効に防止することができる。
【００４６】
しかも本実施形態の水槽設備においては、吐出口閉塞蓋４１をメイン水槽底面２２の吐出口４ｂに着脱自在に取り付けているため、吐出口閉塞蓋４１を取り外すことによって、吐出口４ｂの全域を開放できて往き管路４の吐出口部分を大きく開放することができる。このため、吐出口閉塞蓋４１を取り外すことによって、往き管路４の吐出口周辺を難なく清掃することができ、その吐出口周辺の保守点検を無理なく確実に行うことができる。
【００４７】
さらに本実施形態の水槽設備においては、メイン水槽底面２２の吸込口５ａを、流入孔付きの吸込口閉塞蓋５１によって閉塞しているため、実質的に吸込口５ａとして機能する流入孔５２の開口面積を小さくすることができ、流入孔５２（吸込口５ａ）が際立って目立つような不具合を防止でき、美観を一層向上させることができる。また吸込口閉塞蓋５１を取り外すことによって、吸込口５ａの全域を大きく開放できるため上記と同様に、戻り管路５の吸込口周辺を難なく清掃することができ、その吸込口周辺の保守点検を無理なく確実に行うことができる。
【００４８】
もっとも本発明においては、戻り管路５の吸込口５ａに必ずしも閉塞蓋５１を取り付ける必要はなく、比較的大きい吸込口５ａをメイン水槽底面２２にそのまま残存配置するようにしても良く、その比較的大きい吸込口５ａを閉塞するように板状等のストレーナ部材を直接取り付けるようにしても良い。
【００４９】
また本実施形態の水槽設備においては、基台１の上板１１の裏面側に、メイン水槽２側の吐出口４ｂおよびサブ水槽３側の吸込口４ａ間を架け渡すように、溝型形状の往き管路部材４０を取り付けて往き管路４を形成するとともに、メイン水槽２側の吸込口５ａおよびサブ水槽３側の吐出口５ｂ間を架け渡すように溝型形状の戻り管路部材５０を取り付けて戻り管路５を形成するようにしているため、溝型形状の管路部材４０，５０を基台１の裏面に取り付けるだけで簡単に往き管路４および戻り管路５を形成することができ、ひいては水槽設備全体を効率良く簡単に製作することができる。
【００５０】
また本実施形態の水槽設備においては、溝型形状の管路部材４０，５０の上方開口周縁部と基台１の上板裏面との間にシリコン系シーリング材７を充填して、その間を密着固定しているため、作業効率良く水密性に優れた往き管路４および戻り管路５を製作することができるとともに、水漏れ等のない高品質の水槽設備を確実に提供することができる。
【００５１】
さらに管路部材４０，５０を基台１に取り付けるに際して、管路部材４０，５０の上方開口周縁部にシーリング材７を塗布した後、管路部材４０，５０の外周縁部に形成したねじ留め片６３を基台１のねじ留め部１３にねじ７１によってねじ留め固定するようにしているため、シーリング材７が硬化する前の状態であっても、管路部材４０，５０を基台１に安定した状態に固定することができる。そのためシーリング材７が硬化するまで放置する必要がなく、硬化前の状態でそのまま次の製作工程を実施することができる。このようにシーリング材７の硬化時間を考慮せずに続けて処理できるため、水槽設備を効率良く短時間で組み立てることができ、生産効率を向上させることができる。また場合によっては、シーリング材７が硬化する前の状態であっても製品として出荷することも可能である。
【００５２】
なお上記実施形態においては、水平断面が矩形状のメイン水槽２およびサブ水槽３を形成する場合を例に挙げて説明したが、それだけに限られず、本発明においては、メイン水槽２およびサブ水槽３の形状は特に限定されるものではない。例えばメイン水槽２およびサブ水槽３の水平断面形状を円形状、楕円形状、長円形状、上記実施例以外の多角形状の他、異形断面形状に形成するようにしても良い。
【００５３】
さらに上記実施形態においてメイン水槽２およびサブ水槽３は、高さ位置にかかわらず水平断面形状が変化しないような筒状に形成されているが、本発明はそれだけに限られるものではない。例えば本発明においては、メイン水槽およびサブ水槽として、円錐形状、円錐台形状、角錐形状、角錐台形状、鼓型形状、樽型形状等、高さ位置によって水平断面形状や大きさが変化するようなものを用いるようにしても良い。
【００５４】
またメイン水槽２とサブ水槽３を互いに同じような形状に形成する必要もなく、例えば一方の水槽を円形断面とし、他方の水槽を矩形断面に形成するようにしても良い。
【００５５】
また上記実施形態においては、メイン水槽２の前後左右の４つの周壁を全て透明に形成する場合を例に挙げて説明したが、それだけに限られず、本発明においては、メイン水槽２の少なくとも一部の領域例えば、一側壁のみが透明に形成されていれば良い。
【００５６】
さらに本発明においてサブ水槽３は必ずしも不透明に形成する必要はなく、少なくとも一部を透明に形成するようにしても良い。
【００５７】
また上記実施形態においては、サブ水槽３内に水質維持用の器具類としてフィルター１６を配置する場合を例に挙げて説明したが、水質維持用の器具類は濾過装置だけに限られるものではない。例えばサブ水槽３内に水温を調整するための加熱器や冷却器等の器具類を配置するようにしても良い。
【産業上の利用可能性】
【００５８】
この発明の水槽設備は、一般家庭等において観賞魚や水草等の水棲生物を飼育栽培しつつ観賞する際に好適に用いることができる。
【符号の説明】
【００５９】
１：基台
１１：上板
１５：吐出ポンプ（循環ポンプ）
１６：フィルター（器具類）
２：メイン水槽（第１水槽）
２２：底面
３：サブ水槽（第２水槽）
３２：底面
１５：吐出ポンプ（循環ポンプ）
４：往き管路（連通管路）
４０：往き管路部材（連通管路部材）
４ａ：吸込口（他端開口）
４ｂ：吐出口（一端開口）
５：戻り管路（連通管路）
５０：戻り管路部材（連通管路部材）
５ａ：吸込口（一端開口）
５ｂ：吐出口（他端開口）
６１：上方開口
６３：ねじ留め片
７：シーリング材
７１：ねじ
【図１】
2018110533.tif 000003
【図２】
2018110533.tif 000004
【図３】
2018110533.tif 000005
【図４】
2018110533.tif 000006
【図５】
2018110533.tif 000007
【図６】
2018110533.tif 000008
【図７】
2018110533.tif 000009
【図８】
2018110533.tif 000010